(57)【要約】【課題】ネットワーク監視システムにおいて、ネットワークの負荷を抑制する。【解決手段】ネットワーク監視システム１００において、監視装置１０と監視対象装置２０は、ＬＡＮネットワーク３０を介して接続される。監視対象装置２０は、自身の状態を検出する状態検出部２４と、監視装置１０に対して監視対象装置１０の状態情報を送信する送信部２２と、送信部２２が状態情報を送信する間隔を調整する送信間隔調整部２６とを備える。監視装置１０は、監視対象装置２０からＬＡＮネットワーク３０を介して受信した状態情報に基づいて監視対象装置２０の状態を判定する状態判定部１４を備える。送信間隔調整部２６は、ある送信間隔で前記状態情報の送信を開始してから所定の期間、監視対象装置２０が正常である場合、状態情報の送信間隔をそれまでよりも長くする。【選択図】図２
2014135591.tif 000002
【特許請求の範囲】
【請求項１】
監視装置と監視対象装置とがネットワークを介して接続されたネットワーク監視システムであって、
前記監視対象装置は、
当該監視対象装置の状態を検出する状態検出部と、
前記監視装置に対して当該監視対象装置の状態情報を送信する送信部と、
前記送信部が前記状態情報を送信する間隔を調整する送信間隔調整部と、を備え、
前記監視装置は、前記監視対象装置からネットワークを介して受信した状態情報に基づいて前記監視対象装置の状態を判定する状態判定部を備え、
前記送信間隔調整部は、ある送信間隔で前記状態情報の送信を開始してから所定の期間、当該監視対象装置が正常である場合、前記状態情報の送信間隔をそれまでよりも長くすることを特徴とするネットワーク監視システム。
【請求項２】
前記送信間隔調整部は、前記状態情報の送信間隔が所定の最大送信間隔になるまで、送信間隔を長くする処理を繰り返すことを特徴とする請求項１に記載のネットワーク監視システム。
【請求項３】
前記状態検出部により前記監視対象装置の異常が検出された場合、前記送信間隔調整部は、前記状態情報の送信間隔を所定の最小送信間隔に調整することを特徴とする請求項１または２に記載のネットワーク監視システム。
【請求項４】
前記送信部は、前記状態情報とともに送信間隔情報を前記監視対象装置に送信するよう構成されており、
前記監視対象装置は、ある送信間隔情報から取得した送信間隔で次の状態情報および送信間隔情報が到着しない場合、当該監視装置と前記監視対象装置との間のネットワークに障害が発生したと判定するネットワーク障害判定部を備えることを特徴とする請求項１から３のいずれかに記載のネットワーク監視システム。
【請求項５】
前記監視装置と前記監視対象装置は、通常運用時に使用する通常ネットワークと、前記通常ネットワークに障害が発生した場合に使用する迂回ネットワークとを介して接続されており、
前記送信間隔調整部は、前記状態検出部の検出結果に変化が生じた場合、前記通常ネットワークを通る通常ルートと前記迂回ネットワークを通る迂回ルートの両方に所定の回数前記状態情報が送信され、前記所定の回数送信後は、前記通常ルートのみに定期的に前記状態情報が送信されるよう送信部を制御し、
前記状態判定部は、前記通常ルートまたは前記迂回ルートから到着した前記状態情報に基づいて前記監視対象装置の状態を判定することを特徴とする請求項１から４のいずれかに記載のネットワーク監視システム。
【請求項６】
前記ネットワーク障害判定部は、前記通常ネットワークに関して障害の有無を判定することを特徴とする請求項４に従属する請求項５に記載のネットワーク監視システム。
【発明の詳細な説明】
【技術分野】
【０００１】
本発明は、ネットワーク監視システムに関し、特にネットワークで接続された監視対象装置の状態を監視装置で監視するネットワーク監視システムに関する。
【背景技術】
【０００２】
従来より、監視装置と監視対象装置との間で通信することにより、監視対象装置の正常性を監視するネットワーク監視システムが知られている（例えば、特許文献１参照）。
【先行技術文献】
【特許文献】
【０００３】
【特許文献１】特開平８−１０２７５５号公報
【発明の概要】
【発明が解決しようとする課題】
【０００４】
ネットワーク監視ステムにおいては、監視対象装置から監視装置に対して定期的に装置状態を示す情報が送信される。従って、ネットワークに接続される監視対象装置の数が増えると、通信トラフィックが増大してネットワークの負荷が大きくなり、ネットワークに接続された装置の通信に影響が及ぶ可能性がある。
【０００５】
本発明はこうした状況に鑑みてなされたものであり、その目的は、ネットワークの負荷を抑制することのできるネットワーク監視システムを提供することにある。
【課題を解決するための手段】
【０００６】
上記課題を解決するために、本発明のある態様のネットワーク監視システムは、監視装置と監視対象装置とがネットワークを介して接続されたネットワーク監視システムである。監視対象装置は、当該監視対象装置の状態を検出する状態検出部と、監視装置に対して当該監視対象装置の状態情報を送信する送信部と、送信部が状態情報を送信する間隔を調整する送信間隔調整部とを備える。監視装置は、監視対象装置からネットワークを介して受信した状態情報に基づいて監視対象装置の状態を判定する状態判定部を備える。送信間隔調整部は、ある送信間隔で状態情報の送信を開始してから所定の期間、当該監視対象装置が正常である場合、状態情報の送信間隔をそれまでよりも長くする。
【０００７】
なお、以上の構成要素の任意の組合せ、本発明の表現を装置、方法、システム、プログラム、プログラムを格納した記録媒体などの間で変換したものもまた、本発明の態様として有効である。
【発明の効果】
【０００８】
本発明によれば、ネットワークの負荷を抑制することのできるネットワーク監視システムを提供できる。
【図面の簡単な説明】
【０００９】
【図１】本発明の第１実施形態に係るネットワーク監視システムを説明するための図である。
【図２】第１実施形態に係るネットワーク監視システムの構成を説明するための図である。
【図３】監視対象装置およびネットワークが正常なときの第１実施形態に係るネットワーク監視システムの動作を説明するための図である。
【図４】監視対象装置に異常が発生したときの第１実施形態に係るネットワーク監視システムの動作を説明するための図である。
【図５】ネットワークに障害が発生したときの第１実施形態に係るネットワーク監視システムの動作を説明するための図である。
【図６】本発明の第２実施形態に係るネットワーク監視システムを説明するための図である。
【図７】第２実施形態に係るネットワーク監視システムの構成を説明するための図である。
【図８】監視対象装置およびネットワークが正常なときの第２実施形態に係るネットワーク監視システムの動作を説明するための図である。
【図９】監視対象装置に異常が発生したときの第２実施形態に係るネットワーク監視システムの動作を説明するための図である。
【図１０】ネットワークに障害が発生したときの第２実施形態に係るネットワーク監視システムの動作を説明するための図である。
【発明を実施するための形態】
【００１０】
以下、図面を参照しつつ、本発明の実施形態について説明する。
【００１１】
（第１実施形態）
図１は、本発明の第１実施形態に係るネットワーク監視システム１００を説明するための図である。図１に示すように、ネットワーク監視システム１００は、監視装置１０と、該監視装置１０によって監視される第１〜第４監視対象装置２０_１〜２０_４とがＬＡＮネットワーク３０を介して接続されたシステムである。
【００１２】
ネットワーク監視システム１００において、各監視対象装置は、自らの動作状態が正常であるか異常であるかを検出し、検出結果をＬＡＮネットワーク３０を介して定期的に監視装置１０に送信する。監視装置１０は、各監視対象装置から受信した情報に基づいて、各監視対象装置の動作状態および監視装置１０と各監視対象装置との間のネットワークの状態を監視する。
【００１３】
図２は、第１実施形態に係るネットワーク監視システム１００の構成を説明するための図である。本明細書において示される各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１４】
まず監視対象装置２０の構成について説明する。図２に示すように、監視対象装置２０は、送信部２２と、状態検出部２４と、送信間隔調整部２６とを備える。状態検出部２４は、自身の動作状態が正常であるか異常であるかを定期的に検出する。状態検出部２４により検出された「状態情報」は、送信部２２に送られる。
【００１５】
送信間隔調整部２６は、送信部が監視装置１０に対して情報を送信する間隔を調整する。送信間隔調整部２６が設定した「送信間隔情報」は、送信部２２に送られる。
【００１６】
送信部２２は、「状態情報」および「送信間隔情報」をまとめて「診断情報」とし、ＬＡＮネットワーク３０を介して監視装置１０に定期的に送信する。
【００１７】
上述したように、診断情報の送信間隔は送信間隔調整部２６により調整される。本実施形態において、送信間隔調整部２６は、ある送信間隔で診断情報の送信を開始してから所定の期間（この期間を「確認期間」と呼ぶ）、当該監視対象装置２０が正常である場合、診断情報の送信間隔をそれまでよりも長く設定する。具体的には、それまでの送信間隔に所定の延長時間を加えたものを新たな送信間隔にする。これにより、ネットワークのトラフィックが軽減され、ネットワークの負荷が抑制される。送信間隔調整部２６は、診断情報の送信間隔が所定の最大送信間隔になるまで、送信間隔を長くする処理を繰り返す。最大送信間隔を設けたのは、際限なく送信間隔が延長されてしまうのを防ぐためである。また、状態検出部２４により監視対象装置２０の異常が検出された場合、送信間隔調整部２６は、状態情報の送信間隔を所定の最小送信間隔に調整する。これは、異常が発生した場合に、監視装置１０での異常検出のタイムラグを少なくするためである。
【００１８】
次に監視装置１０の構成について説明する。図２に示すように、監視装置１０は、受信部１２と、状態判定部１４と、ネットワーク障害判定部１６を備える。
【００１９】
受信部１２は、監視対象装置２０からの診断情報を受信する。受信部１２は、受信した診断情報から状態情報を抽出し、状態判定部１４に送る。また、受信部１２は、受信した診断情報から送信間隔情報を抽出し、ネットワーク障害判定部１６に送る。
【００２０】
状態判定部１４は、状態情報に基づいて監視対象装置２０の状態を判定する。すなわち、状態情報が「正常」であれば監視対象装置２０が正常であると判定し、状態情報が「異常」であれば監視対象装置２０が異常であると判定する。
【００２１】
ネットワーク障害判定部１６は、ある送信間隔情報から取得した送信間隔で次の診断情報が到着しない場合、監視装置１０と監視対象装置２０との間のＬＡＮネットワーク３０に障害が発生したと判定する。具体的には、ネットワーク障害判定部１６は、送信間隔情報に基づいて次回の診断情報の受信時刻を予測し、予測通りに診断情報が受信されればＬＡＮネットワーク３０が正常であると判定し、予測通りに診断情報が受信されなければＬＡＮネットワーク３０に障害が発生したと判定する。
【００２２】
なお、図２には１つの監視対象装置２０から監視装置１０に診断情報が送られる様子が図示されているが、実際には図１に示すようにＬＡＮネットワーク３０には複数の監視対象装置２０が接続されており、各監視対象装置２０から監視装置１０に対して定期的に診断情報が送信される。
【００２３】
図３は、監視対象装置およびネットワークが正常なときの第１実施形態に係るネットワーク監視システムの動作を説明するための図である。以下の説明においては、監視対象装置２０の送信間隔調整部２６は以下のように設定されているものとする。なお、当然であるが下記の設定は一例であり、適宜変更可能である。
最小送信間隔：１分
確認期間：３日
延長時間：２分
最大送信間隔：６０分
【００２４】
まず監視対象装置２０が起動された直後、監視対象装置２０の送信間隔調整部２６は診断情報の送信間隔を最小送信間隔＝１分に設定する。そして、送信部２２は、１分間隔で診断情報を監視装置１０に送信し続ける。診断情報には、状態情報（すなわち正常）と、送信間隔情報（すなわち１分間隔）とが含まれる。一方、監視装置１０は、１分間隔で診断情報の受信を待つ。監視装置１０の状態判定部１４は、状態情報に基づいて監視対象装置２０が正常であると判定する。ネットワーク障害判定部１６は、送信間隔情報に基づいて次回の診断情報の受信時刻を予測し、予測通りに診断情報が受信されていればＬＡＮネットワーク３０が正常であると判定する。
【００２５】
１分間隔で診断情報の送信を開始してから３日間、監視対象装置２０が正常である場合、送信間隔調整部２６は、それまでの送信間隔である１分に延長時間２分を加えた３分を新たな送信間隔に設定する。そして、送信部２２は、３分間隔で診断情報を監視装置１０に送信し続ける。診断情報には、状態情報（すなわち正常）と、送信間隔情報（すなわち３分間隔）とが含まれる。一方、監視装置１０は、３分間隔で診断情報の受信を待つ。監視装置１０の状態判定部１４は、状態情報に基づいて監視対象装置２０が正常であると判定する。ネットワーク障害判定部１６は、送信間隔情報に基づいて次回の診断情報の受信時刻を予測し、予測通りに診断情報が受信されていればＬＡＮネットワーク３０が正常であると判定する。
【００２６】
同じように、３分間隔で診断情報の送信を開始してから３日間、監視対象装置２０が正常である場合、送信間隔調整部２６は、それまでの送信間隔である３分に延長時間２分を加えた５分を新たな送信間隔に設定する。そして、送信部２２は、５分間隔で診断情報を監視装置１０に送信し続ける。診断情報には、状態情報（すなわち正常）と、送信間隔情報（すなわち５分間隔）とが含まれる。一方、監視装置１０は、５分間隔で診断情報の受信を待つ。監視装置１０の状態判定部１４は、状態情報に基づいて監視対象装置２０が正常であると判定する。ネットワーク障害判定部１６は、送信間隔情報に基づいて次回の診断情報の受信時刻を予測し、予測通りに診断情報が受信されていればＬＡＮネットワーク３０が正常であると判定する。
【００２７】
送信間隔調整部２６は、診断情報の送信間隔が最大送信間隔（すなわち６０分）になるまで上記のような処理を繰り返す。そして、それ以降は、監視対象装置２０に異常が発生するまで６０分間隔で診断情報を送信し続ける。
【００２８】
例えば常時１分間隔で診断情報を送信する場合と比較すると、本実施形態に係るネットワーク監視システム１００における診断情報の通信トラフィックは、装置起動から３日後より減少し、最大送信間隔の６０分間隔で診断情報を送信するようになったときには、１／６０となる。
【００２９】
図４は、監視対象装置に異常が発生したときの第１実施形態に係るネットワーク監視システムの動作を説明するための図である。図３で説明したように動作していた監視対象装置２０において、ｘ分間隔で診断情報を送信しているときに異常が発生したとする。このとき、送信間隔調整部２６は、診断情報の送信間隔を最小送信間隔の１分間隔に戻し、送信部２２は異常発生を示す状態情報を含む診断情報を１分間隔で送信する。このように送信間隔を最小送信間隔とすることにより、異常発生を監視装置１０に迅速に通知することができる。送信間隔調整部２６は、監視装置１０が復旧して状態検出部２４により状態が正常と検出されるまで、最小送信間隔の１分間隔で送信を続ける。これにより、装置の復旧を監視装置１０に迅速に通知することができる。一方、監視装置１０の状態判定部１４は、受信した診断情報に含まれる状態情報に基づいて、監視対象装置２０に異常が発生したと判定する。
【００３０】
その後、監視対象装置２０が正常状態に復旧した場合、送信部２２は、監視装置１０が正常であることを示す状態情報を含む診断情報を最小送信間隔の１分間隔で送信する。監視装置１０の状態判定部１４は、受信した診断情報に含まれる状態情報に基づいて、監視対象装置２０が正常状態に復旧したと判定する。その後、送信間隔調整部２６は、図３で説明したように通常通り診断情報の送信間隔を変更する。
【００３１】
図５は、ネットワークに障害が発生したときの第１実施形態に係るネットワーク監視システムの動作を説明するための図である。図３で説明したように正常に動作していたネットワーク監視システム１００において、ｘ分間隔で診断情報を送信しているときにＬＡＮネットワーク３０に障害が発生したとする。なお、監視対象装置２０に異常は発生していないので、送信部２２はｘ分間隔で診断情報を送信している。このとき、監視装置１０のネットワーク障害判定部１６は、最後に診断情報を受信してから送信間隔分（すなわちｘ分）待ったにもかかわらず、診断情報が届かないため、監視装置１０と監視対象装置２０との間のＬＡＮネットワーク３０に障害が発生したと判定する。その後、ＬＡＮネットワーク３０の障害が復旧して診断情報が到着するようになった場合、ネットワーク障害判定部１６はネットワーク障害が復旧したと判定する。
【００３２】
以上、第１実施形態に係るネットワーク監視システム１００の構成および動作について説明した。本ネットワーク監視システム１００においては、監視対象装置２０が正常であるときには、送信間隔が所定の確認期間ごとに延長される。これにより、ネットワークのトラフィックが軽減され、ネットワークの負荷を抑制することができる。
【００３３】
（第２実施形態）
図６は、本発明の第２実施形態に係るネットワーク監視システム１００を説明するための図である。図６に示すネットワーク監視システム１００においては、監視装置１０と第１〜第４監視対象装置２０_１〜２０_４とが、通常運用時に使用する通常ネットワーク３１と、通常ネットワーク３１に障害が発生した場合に使用する迂回ネットワーク３２とを介して接続されている。図６において、通常ネットワーク３１を通る通常ルートは実線で図示されており、迂回ネットワーク３２を通る迂回ルートは破線で図示されている。
【００３４】
図７は、第２実施形態に係るネットワーク監視システム１００の構成を説明するための図である。図７において、図２と同一または対応する構成要素については同一の符号を付すとともに、重複する説明は適宜省略する。
【００３５】
本実施形態においては、送信間隔調整部２６は、状態検出部２４の検出結果に変化が生じた場合、通常ネットワーク３１を通る通常ルートと迂回ネットワーク３２を通る迂回ルートの両方に所定の回数（例えば１回）診断情報が送信され、所定の回数（例えば１回）送信後は、通常ルートのみに定期的に診断情報が送信されるよう、送信部２２を制御する。状態検出部２４の検出結果に変化が生じた場合とは、監視対象装置２０の状態が「正常」から「異常」に変化した場合、「異常」から「正常」に変化した場合、および監視対象装置２０が起動された場合の３つのケースを含む。
【００３６】
監視装置１０の状態判定部１４は、通常ルートまたは迂回ルートから到着した診断情報に含まれる状態情報に基づいて、監視対象装置２０の状態を判定する。言い換えると、状態判定部１４は、監視対象装置２０から通知される状態情報は、通常ルートと迂回ルートのいずれのルートからの情報であっても有効と見なす。
【００３７】
また、ネットワーク障害判定部１６は、通常ネットワーク３１に関してのみ障害の有無を判定し、迂回ネットワーク３２については障害の有無を判定しない。すなわち、通常ルートから受信した診断情報についてのみ、通知された送信間隔で到着しているか否か判定する。
【００３８】
図８は、監視対象装置およびネットワークが正常なときの第２実施形態に係るネットワーク監視システムの動作を説明するための図である。
【００３９】
まず監視対象装置２０が起動された直後、監視対象装置２０の送信間隔調整部２６は診断情報の送信間隔を最小送信間隔（以下、１分とする）に設定する。そして、送信間隔調整部２６は、通常ネットワーク３１を通る通常ルートと迂回ネットワーク３２を通る迂回ルートの両方に所定の回数（以下、１回とする）診断情報が送信されるよう送信部２２を制御する。図８において、通常ルートを通る診断情報は実線の矢印で図示され、迂回ルートを通る診断情報は破線の矢印で図示される。通常ルートと迂回ルートに１回送信した後、送信間隔調整部２６は、通常ルートのみに定期的に診断情報が送信されるよう送信部２２を制御する。通常ルートからの診断情報の送信間隔は、第１実施形態と同様に、所定の確認期間（例えば３日間）監視対象装置２０が正常である場合、延長される。
【００４０】
一方、監視装置１０の状態判定部１４は、受信した診断情報に含まれる状態情報に基づいて監視対象装置２０が正常であると判定する。本実施形態では、通常ルートと迂回ルートの両方から診断情報が到着するが、いずれのルートを通った診断情報に基づいて判定を行ってもよい。また、ネットワーク障害判定部１６は、受診した診断情報に含まれる送信間隔情報に基づいて次回の診断情報の受信時刻を予測し、予測通りに通常ルートから診断情報が受信されていれば通常ネットワーク３１が正常であると判定する。
【００４１】
図９は、監視対象装置に異常が発生したときの第２実施形態に係るネットワーク監視システムの動作を説明するための図である。図８で説明したように動作していた監視対象装置２０において、異常が発生したとする。このとき、送信間隔調整部２６は、状態検出部２４の検出結果が「正常」から「異常」に変化するので、通常ルートと迂回ルートの両方に１回だけ診断情報が送信されるよう送信部２２を制御する。ここで送信される診断情報は、異常発生を示す状態情報を含む。監視装置１０の状態判定部１４は、受信した診断情報に含まれる状態情報に基づいて、監視対象装置２０に異常が発生したと判定する。その後、送信間隔調整部２６は、診断情報の送信間隔を最小送信間隔である１分に戻し、通常ルートのみに診断情報が送信されるよう送信部２２を制御する。送信間隔調整部２６は、監視装置１０が復旧して状態検出部２４により状態が正常と検出されるまで、最小送信間隔の１分間隔で送信を続ける。
【００４２】
その後、監視対象装置２０が正常状態に復旧した場合、送信間隔調整部２６は、状態検出部２４の検出結果が「異常」から「正常」に変化するので、通常ルートと迂回ルートの両方に１回だけ診断情報が送信されるよう送信部２２を制御する。監視装置１０の状態判定部１４は、受信した診断情報に含まれる状態情報に基づいて、監視対象装置２０が正常状態に復旧したと判定する。その後、送信部２２は、監視装置１０が正常であることを示す状態情報を含む診断情報を最小送信間隔の１分間隔で送信し、確認期間が経過するごとに送信間隔を延長する。
【００４３】
図１０は、ネットワークに障害が発生したときの第２実施形態に係るネットワーク監視システムの動作を説明するための図である。図８で説明したように正常に動作していたネットワーク監視システム１００において、ｘ分間隔で診断情報を送信しているときに通常ネットワーク３１に障害が発生したとする。このとき、監視装置１０のネットワーク障害判定部１６は、通常ルートから診断情報が受信できないので、通常ネットワーク３１に障害が発生したと判定する。通常ネットワーク３１に障害発生後も送信部２２はｘ分間隔で診断情報を送信しているが、通常ネットワーク３１の障害により監視装置１０には到達していない。この段階では、監視装置１０は通常ルートから診断情報を受信できないが、監視対象装置２０には状態変化、すなわち異常が生じていないので、迂回ルートから診断情報を受信することはない。従って、迂回ルートから診断情報が到着しないことをもって、監視対象装置２０には異常が発生していないと判定できる。
【００４４】
その後、監視対象装置２０に異常が発生したとする。このとき、送信間隔調整部２６は、状態検出部２４の検出結果が「正常」から「異常」に変化するので、通常ルートと迂回ルートの両方に１回だけ診断情報が送信されるよう送信部２２を制御する。ここで送信される診断情報は、異常発生を示す状態情報を含む。この段階では通常ネットワーク３１に障害が発生しているので、迂回ルートのみから監視装置１０に診断情報が届く。監視装置１０の状態判定部１４は、迂回ルートから受信した診断情報に含まれる状態情報に基づいて、監視対象装置２０に異常が発生したと判定する。このように、本実施形態によれば、通常ネットワーク３１に障害が発生した場合でも、監視装置１０の状態判定部１４は、迂回ルートを介して監視対象装置２０の障害発生を判定することができる。異常発生中、送信間隔調整部２６は、診断情報の送信間隔を最小送信間隔である１分に戻し、通常ルートのみに診断情報が送信されるよう送信部２２を制御する。送信間隔調整部２６は、監視装置１０が復旧して状態検出部２４により状態が正常と検出されるまで、最小送信間隔の１分間隔で送信を続ける。なお、この段階では、依然として通常ルートから診断情報が受信できないので、監視装置１０のネットワーク障害判定部１６は、通常ネットワーク３１に障害が発生していると判定する。
【００４５】
その後、通常ネットワーク３１の障害が復旧したとする。このとき、通常ルートから診断情報が受信できるようになるので、監視装置１０の状態判定部１４は、通常ネットワーク３１が正常状態に復旧したと判定する。なお、この段階でも依然として監視対象装置２０に異常が発生しているので、監視対象装置２０は異常を示す診断情報を送信し、監視装置１０の状態判定部１４は該診断情報に基づいて監視対象装置２０が異常であると判定している。
【００４６】
その後、監視対象装置２０が正常状態に復旧した場合、送信間隔調整部２６は、状態検出部２４の検出結果が「異常」から「正常」に変化するので、通常ルートと迂回ルートの両方に１回だけ診断情報が送信されるよう送信部２２を制御する。監視装置１０の状態判定部１４は、受信した診断情報に含まれる状態情報に基づいて、監視対象装置２０が正常状態に復旧したと判定する。
【００４７】
以上、第２実施形態に係るネットワーク監視システム１００の構成および動作について説明した。監視対象装置が通常ルートと迂回ルートの２ルートを用いて監視装置に情報を通知する場合、監視対象装置は、両ルートに対して同一の情報を定期的に送信し、監視装置側で有効とする情報を選択する方法が考えられる。しかしながら、この方法の場合、迂回ネットワークのトラフィックが増大し、迂回ネットワークの負荷が大きくなってしまう可能性がある。
【００４８】
一方、本実施形態に係るネットワーク監視システム１００では、監視対象装置２０に状態変化が発生した場合に所定回数（例えば１回）だけ迂回ルートに診断情報を送信する構成であるため、迂回ルートのトラフィックをそれほど増大させることなく、２ルートを使用した監視対象装置２０の監視が可能となる。
【００４９】
また、本実施形態においても、第１実施形態と同様に、監視対象装置２０が正常であるときには、通常ルートへの診断情報の送信間隔が所定の確認期間ごとに延長される。これにより、通常ネットワーク３１の負荷を抑制することができる。
【００５０】
以上、本発明を実施の形態をもとに説明した。この実施の形態は例示であり、それらの各構成要素や各処理プロセスの組合せによりいろいろな変形例が可能なこと、またそうした変形例も本発明の範囲にあることは当業者に理解されるところである。
【符号の説明】
【００５１】
１０  監視装置、  １２  受信部、  １４  状態判定部、  １６  ネットワーク障害判定部、  ２０  監視対象装置、  ２２  送信部、  ２４  状態検出部、  ２６  送信間隔調整部、  ３０  ＬＡＮネットワーク、  ３１  通常ネットワーク、  ３２  迂回ネットワーク、  １００  ネットワーク監視システム。
【図１】
2014135591.tif 000003
【図２】
2014135591.tif 000004
【図３】
2014135591.tif 000005
【図４】
2014135591.tif 000006
【図５】
2014135591.tif 000007
【図６】
2014135591.tif 000008
【図７】
2014135591.tif 000009
【図８】
2014135591.tif 000010
【図９】
2014135591.tif 000011
【図１０】
2014135591.tif 000012